(57)【要約】【課題】簡易な構成で使い勝手が良い足踏器具を提供する。【解決手段】足踏器具は、表面１１に足型に合わせた突起部２が設けられた一対の足踏板１，１と、足踏板１を前方および後方へ傾斜自在となるように、該足踏板１の裏面１２の左右方向に設けられた断面半円形の筒体３と、一対の足踏板１，１の筒体同士を同軸で連結する連結体４とを備える。【選択図】図１
0003159613.tif 000002
【実用新案登録請求の範囲】
【請求項１】
表面に足型に合わせた突起部が設けられた一対の足踏板と、
前記足踏板を前方および後方へ傾斜自在となるように、該足踏板の裏面の左右方向に設けられた断面半円形の筒体と、
前記一対の足踏板の筒体同士を同軸で連結する連結体と
を備えることを特徴とする足踏器具。
【請求項２】
請求項１記載の足踏器具において、
前記突起部は、その高さが前記足踏板の前方および後方に向かって低くなるように配置され、前記筒体により前記足踏板が前方へ傾斜した際には、後方側の該突起部の先端が水平面上に位置すると共に、該筒体により前記足踏板が後方へ傾斜した際には、前方側の該突起部の先端が水平面上に位置することを特徴とする足踏器具。
【請求項３】
請求項１または２記載の足踏器具において、
前記筒体の一部を切欠いた切欠き部と、
前記切欠き部に連結される断面半円形の傾斜調節部材と
を備えることを特徴とする足踏器具。
【考案の詳細な説明】
【技術分野】
【０００１】
本考案は、表面に足型に合わせた突起部が設けられた一対の足踏板を備える足踏器具に関する。
【背景技術】
【０００２】
従来、この種の足踏器具としては、表面に突起を多数配置してなる足底受け部を形成した揺動板を、その裏面を基台の軸杆に軸承して、シーソー状とした足踏器具が知られている（下記特許文献１  図１参照）。
【０００３】
また、基台を設ける代わりに、揺動板の裏面に回転のための支点を形成した足踏器具も知られている（下記特許文献２  図３参照）。
【先行技術文献】
【特許文献】
【０００４】
【特許文献１】実開昭４８−５５９５４号公報
【特許文献２】特開２００２−３３６３７５号公報
【考案の開示】
【考案が解決しようとする課題】
【０００５】
しかしながら、従来の足踏器具では、ユーザが左右の足で足踏みを行った際に、左右の足踏器具の位置がずれてしまい、運動の途中で頻繁に足踏器具の位置を直さなければならないという不都合があった。特に、揺動板は、前後方向に繰り返し傾動するために、左右の足踏器具が前後方向にずれてしまうという問題があった。
【０００６】
かかる不都合を改善するために、１つの基台に左右の足踏器具を一体に構成することも考えられるが（上記特許文献１  図４参照）、全体の構成が大掛かりなものとなりコストが嵩むと共に、不使用時に大きな収納スペースを要するため現実的ではない。
【０００７】
以上の事情に鑑みて、本考案は、簡易な構成で使い勝手が良い足踏器具を提供することを目的とする。
【課題を解決するための手段】
【０００８】
上記目的を達成するために、第１考案の足踏器具は、表面に足型に合わせた突起部が設けられた一対の足踏板と、
前記足踏板を前方および後方へ傾斜自在となるように、該足踏板の裏面の左右方向に設けられた断面半円形の筒体と、
前記一対の足踏板の筒体同士を同軸で連結する連結体と
を備えることを特徴とする。
【０００９】
第１考案の足踏器具によれば、左右の足踏板の筒体同士が同軸で連結されているため、左右の足踏板が運動の途中でずれてしまうということを防止することができる。
【００１０】
さらに、足踏板は基台を必要とせず、断面半円形の筒体により前後方向に傾動自在に構成されるため、その構成を簡易なものとして小型化を図ることができる。
【００１１】
このように、第１考案の足踏器具によれば、簡易な構成で使い勝手が良い足踏器具を提供することができる。
【００１２】
第２考案の足踏器具は、第１考案において、
前記突起部は、その高さが前記足踏板の前方および後方に向かって低くなるように配置され、前記筒体により前記足踏板が前方へ傾斜した際には、後方側の該突起部の先端が水平面上に位置すると共に、該筒体により前記足踏板が後方へ傾斜した際には、前方側の該突起部の先端が水平面上に位置することを特徴とする。
【００１３】
第２考案の足踏器具によれば、足踏板の表面に配置された突起部の高さが、足踏板が前方へ傾斜した際には後方側の突起部の先端が水平面を構成すると共に、後方へ傾斜した際には前方側の突起部の先端が水平面を構成する。そのため、足踏板が前方へ傾斜した際にはユーザは後方側で踏ん張ることができ、足踏板が後方へ傾斜した際にはユーザは前方側で踏ん張ることができる。
【００１４】
このように、第２考案の足踏器具によれば、運動時のバランスを保ち易くすることができ、簡易な構成で使い勝手が良い足踏器具を提供することができる。
【００１５】
第３考案の足踏器具は、第１または第２考案において、
前記筒体の一部を切欠いた切欠き部と、
前記切欠き部に連結される断面半円形の傾斜調節部材と
を備えることを特徴とする。
【００１６】
第３考案の足踏器具によれば、切欠き部に傾斜調節部材を連結することで、足踏板の傾斜角度を大きくすることができ、ユーザの運動能力に応じてその傾動角度を調整することができユーザの使い勝手を向上させることができる。さらに、このとき、左右の足踏板の筒体同士が同軸で連結されているため、左右の足踏板にそれぞれ１つの傾斜調節部材を連結すれば、左右の傾斜角度を同じにすることができる。
【００１７】
このように、第３考案の足踏器具によれば、簡易な構成で使い勝手が良い足踏器具を提供することができる。
【図面の簡単な説明】
【００１８】
【図１】足踏器具の構造を示す斜視図。
【図２】切欠き部および傾斜調節部材の構造を示す斜視図。
【図３】突起部の高さを示す説明図。
【考案を実施するための形態】
【００１９】
図１に示すように、本実施形態の足踏器具は、左右一対の足踏板１，１と、足踏板１の表面１１に左右の足型に合わせて設けられた突起部２と、足踏板１を前後方向に傾斜動させるために、足踏板１の裏面１２に設けられた断面半円形の筒体３と、左右の足踏板１，１の筒体３を連結する棒状の連結体４とを備える。
【００２０】
足踏板１は、例えば木製の厚板であって、その表面１１には、左または右の足型が大まかに描かれている。そして、その足型に合わせて、例えば、ユーザの足裏の特定のつぼを刺激するように、突起部２が足踏板１の表面１１に取り付けられている。
【００２１】
突起部２は、それぞれ高さや大きさが異なる半球体２１ａ〜２７が、足踏板１の表面１１に接着材で固定されている。半球体２１ａ〜２７の配置は、その高さが足踏板１の前方および後方に向かって低くなるように配列されている。すなわち、中央の半球体２４が一番高く前方に向かって２３、２２、２１の順に低くなっている。一方、中央の半球体２４から後方に向かって２５、２６、２７の順に低くなっている。
【００２２】
また、半球体は、いわゆる「足つぼ」に合わせて、部分的に横並びとなっている。例えば、足先に該当する第１列には、耳、目、頭部のつぼに対応した半球体２１ａ，２１ｂ，２１ｃが配置され、第２列には、リンパ腺、血圧、首・喉のつぼに対応した半球体２２ａ，２２ｂ，２２ｃが配置されている。また、かかと側にも、小腸に対応した２つの半球体２６ａ，２６ｂが配置されている。
【００２３】
なお、突起部２の先端の高さと、足踏板１の傾動角度との関係については、詳細を後述する。
【００２４】
図２に参照して、足踏板１の裏面１２側の構成について説明する。
【００２５】
筒体３は、円弧部分が床面への接地部分となるように、足踏板１の裏面１２に接着材により固定されている。
【００２６】
互いに対向する筒体３，３の一端部には、連結体４が挿入される穴部３１も設けられている。穴部３１内には、図示しない周知の抜け止め機構（例えば、連結体４との係合部）を備え、連結体４が脱落しないように構成されることが好ましい。
【００２７】
このように本実施形態の左右の足踏器具によれば、足踏板１，１の筒体３，３同士が同軸で連結されているため、左右の足踏板１，１が運動の途中でずれてしまうということを防止することができ、ユーザの使い勝手を向上させることができる。
【００２８】
また、筒体３の反対側の他端部側には、筒体の一部を切欠いた切欠き部３２が形成されており、切欠き部３２には、筒体３の断面半円形より径の大きな半円板の傾斜調節部材３３が連結可能となっている。
【００２９】
傾斜調節部材３３の板厚は、切欠き部３２の切欠き幅とほぼ同じであって、傾斜調整部材３３が切欠き部３２に嵌合される。さらに、嵌合した傾斜調整部材３３の抜け止めとして、筒体３の他端から傾斜調整部材３３を貫通する貫通孔３ａ，３３ａおよび穴部３ｂが形成されており、この貫通孔３ａ，３３ｂおよび穴部３ｂに棒状の抜け止め部材３４が挿入される。
【００３０】
このように本実施形態の左右の足踏器具によれば、切欠き部３２に傾斜調節部材３３を連結することで、足踏板１の傾斜角度を大きくすることができ、ユーザの運動能力に応じてその傾動角度を調整することができユーザの使い勝手を向上させることができる。
【００３１】
さらに、このとき、左右の足踏板１，１の筒体３，３同士が連結体４で連結されているため、左右の足踏板１，１にそれぞれ１つの傾斜調節部材３３，３３を連結すれば、左右の傾斜角度を同じにすることができる。
【００３２】
次に、図３を参照して、説明を後回しにした突起部２の高さと、足踏板１の傾動角度との関係について説明する。図３は、切欠き部３２に傾斜調節部材３３を外した状態における足踏板１の傾斜の様子を示している。
【００３３】
まず、図３（ａ）を参照して、足踏板１が後方に傾斜している場合について説明する。この場合、つま先側（図中右側）の半球体２１〜２４は、その先端の高さ位置がほぼ水平となる。これにより、かかと側（図中左側）にユーザの体重が集中することを抑制して、ユーザはこの水平面Ｘで踏ん張ってバランスを取ることができる。
【００３４】
次に、図３（ｂ）を参照して、足踏板１が前方に傾斜している場合について説明する。この場合、かかと側（図中左側）の半球体２４〜２７は、その先端の高さ位置がほぼ水平となる。これにより、つま先側（図中右側）にユーザの体重が集中することを抑制して、ユーザはこの水平面Ｙで踏ん張ってバランスを取ることができる。
【００３５】
このように本実施形態の左右の足踏器具によれば、初めてこの足踏器具を使うユーザでも運動時のバランスを保ち易くすることができ、簡易な構成で使い勝手が良い足踏器具を提供することができる。
【００３６】
尚、本実施形態では、足踏板１の表面１１に半球体２４〜２７を接着材で固定したがこれに限定されるものではなく、表面１１と半球体２４〜２７とに凹凸等を設けて、半球体２４〜２７を着脱自在としてもよい。このようにして、半球体形状および位置をユーザに任意に決定させることで、ユーザが所望する使用感覚を簡易に実現することができる。
【符号の説明】
【００３７】
１…足踏板、２…突起部、３…筒体、４…連結体、１１…足踏板の表面、１２…足踏板の裏面、３２…切欠き部、３３…傾斜調節部材。
【図１】
0003159613.tif 000003
【図２】
0003159613.tif 000004
【図３】
0003159613.tif 000005